(57)【要約】【課題】簡単な構造を有し、かつ、既存のトイレの設備に対してそのまま取り付けることができ、揺動させれば便蓋を閉じるのと同時にトイレの洗浄レバーを回転させるトイレ器具を提供する。【解決手段】トイレの洗浄レバー３に取り付ける取付部４と、取付部４に接続する連結部材５と、連結部材５に接続し、便蓋１０に係合する押し当て部材６と、を有し、便蓋１０を閉じる方向に押し当て部材６を揺動させると連動して洗浄レバー３を回転させるように構成した。【選択図】図１
2018096106.tif 000002
【特許請求の範囲】
【請求項１】
トイレの洗浄レバーに取り付ける取付部と、
前記取付部に接続する連結部材と、
前記連結部材に接続し、便蓋に係合する押し当て部材と、を有し、
前記便蓋を閉じる方向に前記押し当て部材を揺動させると連動して前記洗浄レバーを回転させるように構成されたトイレ器具。
【請求項２】
前記取付部は、洗浄レバーを挟持する２枚の板状弾性片を有することを特徴とする請求項１に記載のトイレ器具。
【請求項３】
前記連結部材は、上段連結部と下段連結部とを連結するヒンジ部を備え、
前記ヒンジ部は、前記上段連結部を便座の前方向に引くと屈曲し、前記下段連結部を便座の前方向に引くと屈曲しないように取り付けられていることを特徴とする請求項２に記載のトイレ器具。
【請求項４】
前記ヒンジ部には、ヒンジ部が屈曲する方向と逆方向に付勢する弾性体が設けられていることを特徴とする請求項３に記載のトイレ器具。
【請求項５】
前記押し当て部材は、便蓋を閉じつつ前記洗浄レバーを回転させるための第１操作部を有し、前記上段連結部は、便蓋を閉じずに前記洗浄レバーを回転させるための第２操作部を有することを特徴とする請求項３乃至４のいずれかに記載のトイレ器具。
【請求項６】
前記連結部材は、便座の前方向に湾曲延伸していることを特徴とする請求項１乃至５のいずれかに記載のトイレ器具。
【請求項７】
前記押し当て部材は、便蓋と係合するように便座の横方向内側に延伸している押し当て部を有することを特徴とする請求項１乃至６のいずれかに記載のトイレ器具。
【請求項８】
前記第１操作部は、前記押し当て部材の横方向外側の端部の少なくとも一部が突出して形成されていることを特徴とする請求項５に記載のトイレ器具。
【請求項９】
前記押し当て部材は、前記トイレ器具の全体の長さを調整可能に前記連結部材に固定することができる固定部を有することを特徴とする請求項１乃至８のいずれかに記載のトイレ器具。
【請求項１０】
前記押し当て部材は、水タンクの左右いずれの側に取り付けられるかに応じて押し当て部を便座の横方向内側に突出するように付替可能に構成されていることを特徴とする請求項１乃至９のいずれかに記載のトイレ器具。
【発明の詳細な説明】
【技術分野】
【０００１】
本願発明は、トイレ器具に関する。
【背景技術】
【０００２】
通常、トイレの蓋（便蓋）を閉めることと洗浄レバーを回すことは別々に行われるため、洗浄レバーを回して水を流しても、便蓋を閉め忘れることがある。
【０００３】
しかし、便座の蓋が開けっ放しの状態では、電気加熱の便座を使用している場合、便座の設定温度に維持しようと常に発熱しているため電気の使用量が増え電気代が高くなる問題があった。
【０００４】
これに対して便蓋の閉め忘れを防止するための技術はいくつか提案されていた。
【０００５】
特許文献１は、トイレの洗浄レバーを考案のものと取り替えて、洗浄レバーの操作に連動させて便座と便蓋の両方を同時に閉じる構成を提案している。
【０００６】
特許文献２は、洗浄レバーの操作によって便座が自動的に跳ね上がる洋式便器を提案している。この考案によれば、便座を開方向に付勢するばねを便座の蝶番部分に設け、さらに洗浄レバーとばねの間に洗浄レバーと連動してばねの付勢力を発揮させるリンク機構を設け、洗浄レバーを回転させると自動的に便座が跳ね上がる構成を提案している。
【先行技術文献】
【特許文献】
【０００７】
【特許文献１】実開平７−５４９６号公報
【特許文献２】登録実用新案第３０６０６８１号公報
【発明の概要】
【発明が解決しようとする課題】
【０００８】
しかし、従来の便蓋の閉め忘れを防止する技術はその構造が複雑であった。また、洗浄レバー自体を付け替え、あるいは便座を改造するなど、既存の設備を改造せずに取り付けることができないという問題があった。
【課題を解決するための手段】
【０００９】
上述した課題を解決するために、本願発明の一態様に係るトイレ器具は、
トイレの洗浄レバーに取り付ける取付部と、
前記取付部に接続する連結部材と、
前記連結部材に接続し、便蓋に係合する押し当て部材と、を有し、
前記便蓋を閉じる方向に前記押し当て部材を揺動させると連動して前記洗浄レバーを回転させるように構成されたものである。
【００１０】
本願発明の他の態様に係るトイレ器具によれば、
前記取付部は、洗浄レバーを挟持する２枚の板状弾性片を有するようにすることができる。
【００１１】
本願発明のさらに他の態様に係るトイレ器具によれば、
前記連結部材は、上段連結部と下段連結部とを連結するヒンジ部を備え、
前記ヒンジ部は、前記上段連結部を便座の前方向に引くと屈曲し、前記下段連結部を便座の前方向に引くと屈曲しないように取り付けられているようにすることができる。
【００１２】
本願発明のさらに他の態様に係るトイレ器具によれば、
前記ヒンジ部には、ヒンジ部が屈曲する方向と逆方向に付勢する弾性体が設けられているようにすることができる。
【００１３】
本願発明のさらに他の態様に係るトイレ器具によれば、
前記押し当て部材は、便蓋を閉じつつ前記洗浄レバーを回転させるための第１操作部を有し、前記上段連結部は、便蓋を閉じずに前記洗浄レバーを回転させるための第２操作部を有するようにすることができる。
【００１４】
本願発明のさらに他の態様に係るトイレ器具によれば、
前記連結部材は、便座の前方向に湾曲延伸しているようにすることができる。
【００１５】
本願発明のさらに他の態様に係るトイレ器具によれば、
前記押し当て部材は、便蓋と係合するように便座の横方向内側に延伸している押し当て部を有するようにすることができる。
【００１６】
本願発明のさらに他の態様に係るトイレ器具によれば、
前記第１操作部は、前記押し当て部材の横方向外側の端部の少なくとも一部が突出して形成されているようにすることができる。
本願発明のさらに他の態様に係るトイレ器具によれば、
前記押し当て部材は、前記トイレ器具の全体の長さを調整可能に前記連結部材に固定することができる固定部を有するようにすることができる。
本願発明のさらに他の態様に係るトイレ器具によれば、
前記押し当て部材は、水タンクの左右いずれの側に取り付けられるかに応じて押し当て部を便座の横方向内側に突出するように付替可能に構成されているようにすることができる。
【発明の効果】
【００１７】
本願発明によれば、簡単な構造を有し、かつ、既存のトイレの設備に対してそのまま取り付けることができ、揺動させれば便蓋を閉じるのと同時にトイレの洗浄レバーを回転させて水を流すことができるトイレ器具を提供することができる。これによって、便蓋の閉め忘れを確実に防止することができる。
【００１８】
また、本願発明の一態様によれば、上述本願発明の効果を有し、かつ、本願発明のトイレ器具を取り付けた状態で、便蓋を閉じないで洗浄レバーを回転させることができる。これにより、本願発明のトイレ器具を取り外すことなく使用者が着座した状態で洗浄レバーを回転させることができる。
【図面の簡単な説明】
【００１９】
【図１】本願発明の一実施形態によるトイレ器具を水タンクに取り付けた状態の斜視図である。
【図２】本願発明の一実施形態によるトイレ器具の正面図である。
【図３】本願発明の一実施形態によるトイレ器具の側面図である。
【図４】本願発明の一実施形態によるトイレ器具の背面図である。
【図５】本願発明の一実施形態によるトイレ器具のヒンジ部の拡大図である。
【図６】本願発明の一実施形態によるトイレ器具の作用を説明する図である。
【図７】本願発明の一実施形態によるトイレ器具の作用を説明する図である。
【図８】本願発明の一実施形態によるトイレ器具の、便蓋を閉めないで洗浄レバーを操作する際の説明図である。
【図９】本願発明の一実施形態によるトイレ器具を、水タンクの左右逆側に取り付けた状態の斜視図と部分拡大図である。
【図１０】本願発明の他の実施形態によるトイレ器具を水タンクに取り付けた状態の斜視図である。
【図１１】本願発明のさらに他の実施形態によるトイレ器具を水タンクに取り付けた状態の斜視図である。
【発明を実施するための形態】
【００２０】
以下に本願発明を実施するための形態を説明する。
【００２１】
図１は、本願発明の一実施形態によるトイレ器具を水タンクに取り付けた状態の斜視図を示している。図２，３，４はそれぞれ同実施形態によるトイレ器具の正面図、側面図、背面図を示している。
【００２２】
なお、本明細書において便座の「前方向」とは、使用者が便座に着座した状態で使用者の顔が向く方向をいい、便座の「後方向」とは使用者が便座に着座した状態で使用者の背が向く方向をいい、便座の「横方向」とは使用者が便座に着座した状態で使用者の左右いずれかの方向をいい、前記横方向のうちの「右方向」は使用者が便座に着座したときの使用者の右側方向をいい、横方向のうちの「左方向」は使用者が便座に着座したときの使用者の左側方向をいうものとする。
【００２３】
図１に示すように、本願発明の一実施形態によるトイレ器具１は、トイレの水タンク２の洗浄レバー３に取り付け可能に構成されている。図１の場合、洗浄レバー３は水タンク２の左側に位置し、本実施形態のトイレ器具１は後に説明するように水タンク２の左右いずれの側にも取り付けることができるが、図１では左側の洗浄レバー３に取り付けられている。
【００２４】
トイレ器具１は、洗浄レバー３に取り付けるための取付部４と、取付部４に接続する連結部材５と、連結部材５の先端に取り付ける押し当て部材６とを有している。
【００２５】
連結部材５はその中間部分にヒンジ部７を有し、ヒンジ部７の上方の上段連結部５ａと、ヒンジ部７の下方の下段連結部５ｂとを有している。
【００２６】
押し当て部材６は、連結部材５の先端に取り付けられる部材であり、トイレ器具１を便座の前方向に揺動させたときにトイレの便蓋１０に当たる押し当て部６ａと、下段連結部５ｂに固定するための固定部６ｂと、使用者が手を添えて押し当て部材６を操作するための操作部６ｃとを有している。
【００２７】
押し当て部６ａは、便蓋１０と係合するように便座の横方向内側に延伸している。
【００２８】
固定部６ｂはトイレ器具１の全体の長さを調整可能に連結部材５に固定することができるようになっている。本実施形態では、下段連結部５ｂと固定部６ｂに複数のねじ穴が設けられており、ねじ穴をずらして取り付けることにより、押し当て部材６と連結部材５の長さを調整することができるようになっている。これにより、便蓋１０との距離のばらつきを許容し、種々のトイレ設備に適応することができる。
【００２９】
トイレ器具１は、図１と図３に示すように、操作したときに便蓋１０を閉じられるように全体として便座の前方向に湾曲延伸している。トイレ器具１はその湾曲形状により、通常は洗浄レバー３が下を向いた状態で押し当て部材６が便蓋１０に当接または近接しているが、押し当て部材６を便蓋１０に当てて便蓋１０を閉じるように揺動させると洗浄レバー３を回転させられようになっている。
【００３０】
トイレ器具１の取付部４は、２枚の板状弾性片４ａ，４ｂを有し、洗浄レバー３を挟持することができるように構成されている。
【００３１】
板状弾性片４ａ，４ｂは多少弾性的に拡開することができるようになっており、洗浄レバー３の大きさのばらつきを許容してしっかり挟持することができるように構成されている。さらに、板状弾性片４ａ，４ｂは洗浄レバー３を両側から挟む形状により、トイレ器具１の揺動を洗浄レバー３に伝え、洗浄レバー３を回転させることができる。板状弾性片４ａ，４ｂの素材は、アルミ、スチール、ステンレスなどの金属や、プラスチック等任意の公知の弾性材を用いることができる。
【００３２】
また、板状弾性片４ａ，４ｂは好ましくは内側にクッション材と滑り止め材を兼ねる部材、たとえばゴム部材を有し、洗浄レバー３をがたつきなく挟持できるように構成されている。
【００３３】
ヒンジ部７は、図５に示すように、たとえば蝶番になっており、回転の中心になる枢軸７ａと、上段連結部５ａに固定する上方固定部７ｂと、下段連結部５ｂに固定する下方固定部７ｃとを有している。枢軸７ａには弾性体のコイル状のバネ７ｄが設けられており、蝶番を開く方向に付勢している。上方固定部７ｂは、上段連結部５ａの下端からやや上方にずれた位置に、より具体的には、枢軸７ａが上段連結部５ａと下段連結部５ｂの接続点の上方に位置するように取り付けられている。これにより、通常はバネ７ｄによって付勢されて上段連結部５ａと下段連結部５ｂはまっすぐな状態になり、下段連結部５ｂが便座の後方向に回動させられたときに、屈曲できるようになっている。
【００３４】
次に、本実施形態によるトイレ器具１の動作を、図６，７を用いて以下に説明する。図６はトイレ器具１を操作する前の状態を示しており、図７はトイレ器具１を操作した後の状態を示している。
【００３５】
図６に示すように、トイレ器具１を洗浄レバー３に取り付け、通常の状態では洗浄レバー３が下方に向き、トイレ器具１の下端部の押し当て部材６の押し当て部６ａが、便蓋１０の背面に当接または近接した状態になっている。この状態では便蓋１０は垂直よりやや後方に傾斜しており、開いた状態で安定している。
【００３６】
図７に示すように、トイレの使用後に押し当て部材６を操作してトイレ器具１を揺動させると、押し当て部材６の押し当て部６ａが便蓋１０を押して前方向に倒れさせ、同時に、上述したようにヒンジ部７が上段連結部５ａと下段連結部５ｂを一直線状に保つため、トイレ器具１の揺動の動きが洗浄レバー３に伝わり、水を流すまで洗浄レバー３を回転させる。
【００３７】
便蓋１０は垂直の状態を超えて前方に傾斜した後は自重によって前方に倒れるため、所定の角度以上でトイレ器具１の押し当て部材６は便蓋１０から離れるが、便蓋１０は完全に閉じるまで倒れ続ける。このため、水が流れるまでトイレ器具１を必要な角度揺動させることができる。
【００３８】
図８は便蓋１０を閉じないで洗浄レバー３を回転させるためのトイレ器具１の動作を示している。
【００３９】
使用者が便座に着座した状態で洗浄レバー３を操作する必要がある場合があるが、この場合は便蓋１０を閉じないで洗浄レバー３を回転させなければならない。
【００４０】
本実施形態のトイレ器具１においては、ヒンジ部７は前述したように上段連結部５ａを便座の前方向に引くと屈曲し、下段連結部５ｂを便座の前方向に引くと屈曲しないように取り付けられているため、便蓋１０を閉じないで洗浄レバー３を回転させたい場合は、上段連結部５ａの下端部を操作して上段連結部５ａと洗浄レバー３のみを回転させることができる。これにより、使用者が便座に着座した状態で洗浄レバー３を操作して水を流すことができる。
【００４１】
以上のように、本実施形態のトイレ器具１は便蓋１０を閉じるのと同時に洗浄レバー３を回転させることも、便蓋１０を閉じないで洗浄レバー３を回転させることもできる。便蓋１０を閉じるのと同時に洗浄レバー３を回転させるためのトイレ器具１の操作部（第１操作部）は、押し当て部材６の操作部６ｃとして設けられており、本実施形態の操作部６ｃは押し当て部材６の横方向外側端部の一部が突出して形成されている。便蓋１０を閉じないで洗浄レバー３を回転させるためのトイレ器具１の操作部（第２操作部）は、概ね上段連結部５ａの下端部に位置している。第１操作部と第２操作部は好ましくは、その部位を示すとともに、操作の方向を示したマークやシール等の目印が付されているのが好ましい。
【００４２】
以上の洗浄レバー３は水タンク２の左側に取り付けられている場合の説明であったが、水タンク２の右側に洗浄レバー３が取り付けられている場合もある。
【００４３】
図９は水タンク２の右側に洗浄レバー３がある場合のトイレ器具１の取り付け状態を示している。
【００４４】
図９に示すように、トイレ器具１は洗浄レバー３が水タンク２の右側にある場合でも便座の前方向に湾曲延伸するように取り付けることができる。
【００４５】
押し当て部材６は、トイレ器具１が水タンク２の右側に取り付けられた場合には、下段連結部５ｂの下側に付け替えるようにする。これにより、押し当て部６ａが便座の横方向内側に突出するようになり、押し当て部６ａが便蓋１０と係合することができる。
【００４６】
このように、本実施形態の押し当て部６ａは、トイレ器具１が水タンク２の左右いずれの側に取り付けられるかに応じて付け替えることができるように構成されている。
【００４７】
図１０は押し当て部材６の他の実施形態を示している。この実施形態の押し当て部材６の操作部６ｃ’（第１操作部）は、押し当て部材６の横方向外側の端部の全部が突出するように形成されている。ただし、他の物との干渉を避けるように、操作部６ｃ’の突出の幅は小さいのが好ましい。
【００４８】
図１１はトイレ器具のさらに他の実施形態を示している。
【００４９】
本実施形態によるトイレ器具１１は、連結部材がヒンジ部を有しないことを除いてはトイレ器具１と同様である。
【００５０】
すなわち、トイレ器具１１は取付部１２と連結部材１３と押し当て部材１４を有し、押し当て部材１４はヒンジ等によって分離しておらず、好ましくは取付部１２の板状弾性片と一体連続に形成されている。
【００５１】
本実施形態によるトイレ器具１１においても、便蓋を閉じるように揺動させることによって洗浄レバー３を回転させて水を流すことができること、および、水タンク２の左右いずれ側にも取り付けられることは同様である。
【００５２】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本願発明の概念的な思想と趣旨を逸脱しない範囲で種々の追加、変更及び部分的削除が可能である。
【符号の説明】
【００５３】
１  トイレ器具
２  水タンク
３  洗浄レバー
４  取付部
４ａ  板状弾性片
４ｂ  板状弾性片
５  連結部材
５ａ  上段連結部
５ｂ  下段連結部
６  押し当て部材
６ａ  押し当て部
６ｂ  固定部
６ｃ  操作部
６ｃ’  操作部
７  ヒンジ部
７ａ  枢軸
７ｂ  上方固定部
７ｃ  下方固定部
７ｄ  バネ
８  上段連結部
９  下段連結部
１０  便蓋
１１  トイレ器具
１２  取付部
１３  連結部材
１４  押し当て部材
【図１】
2018096106.tif 000003
【図２】
2018096106.tif 000004
【図３】
2018096106.tif 000005
【図４】
2018096106.tif 000006
【図５】
2018096106.tif 000007
【図６】
2018096106.tif 000008
【図７】
2018096106.tif 000009
【図８】
2018096106.tif 000010
【図９】
2018096106.tif 000011
【図１０】
2018096106.tif 000012
【図１１】
2018096106.tif 000013